(57)【要約】【課題】軽量で運搬や保管を楽に行え、また作業性に富み、被吊り下げ物にも損傷などを生じさせることのない、玉掛け用補助装置を提供する。【解決手段】メッシュパレットなどの被吊上げ容器１の上部に取付けられる上部支持体２と、被吊上げ容器の下部に取付けられる下部支持体３とから成る。上部支持体は、被吊上げ容器の上面を横切って延びる本体部２１，２２と、この本体部両側にあって被吊上げ容器の両側上縁部に係止される上係止部２５と、同様に本体部両側にあって４本の吊り用索条がそれぞれ挿通されて各吊り用索条の中途部を被吊上げ容器上縁部に接触させることなく所定位置に保持する保持部２３とを備える。下部支持体は、被吊上げ容器の両側下部に係止される下係止部３５，３７と、上記各吊り用索条の下端部を固定する固定部３６を備える。【選択図】図１
2004155442.tif 000002
【特許請求の範囲】
【請求項１】
被吊上げ容器の上部に取付けられる上部支持体と、被吊上げ容器の下部に取付けられる下部支持体とから成り、
上部支持体は、被吊上げ容器の上面を横切って延びる本体部と、本体部両側にあって被吊上げ容器の両側上縁部に係止される上係止部と、本体部両側にあって４本の吊り用索条がそれぞれ挿通されて各吊り用索条の中途部を被吊上げ容器上縁部に接触させることなく所定位置に保持する保持部とを備え、
下部支持体は、被吊上げ容器の両側下部に係止される下係止部と、上記各吊り用索条の下端部を固定する固定部を備えている、
玉掛け補助装置。
【請求項２】
前記被吊上げ容器がメッシュパレットあるいはボックスパレットである、
請求項１記載の装置。
【請求項３】
前記上部支持体の本体部は、所要の間隔を置いた一対の横杆と両横杆の端部同士を連結する一対の縦杆とから成る略方形状のフレーム枠体によって形成され、
上記一対の横杆は、前記被吊上げ容器の上方を横切って延びる長さを有し、各端部に前記上係止部と保持部とを備え、
上記一対の縦杆は、被吊上げ容器の上縁部よりも短い長さでこれとほぼ平行に沿って延びるものである、
請求項１記載の装置。
【請求項４】
前記フレーム枠体から成る上部支持体は、横杆と縦杆とが枢支構造によって連結され、ほぼ一直線状に折畳み及び矩形状に展開自在である、
請求項３記載の装置。
【請求項５】
前記上方支持部材は、展開及び折畳み可能にＸ字状に交差させた２つの支持杆から成る、
請求項１記載の装置。
【請求項６】
前記上係止部は、前記横杆の各端部に設けられ、
ボックスパレット上縁部の１メッシュ内に挿入されて上部支持体の前後方向のずれと上方への離脱を防止する係止片から成る、
請求項２記載の装置。
【請求項７】
前記保持部は、前記本体部横杆の各端部に設けられたほぼ水平な上下二段のフック部材から構成され、両フック部材の開口が左右逆方向を向いて形成されている、
請求項３記載の装置。
【請求項８】
前記下部支持部材は、被吊上げ容器の両側下部に係止される４つの支持金具から成り、
これらの支持金具が前記吊り用索条の下端部を固定する固定部を有する、
請求項１記載の装置。
【請求項９】
前記下部支持部材は、一組の下支持体から成り、
各支持体は、被吊上げ容器の両側下縁部に掛止めされる左右のフック部材と、前記吊り用索条の下端部を固定する左右の固定部材と、これら左右のフック部材同士及び左右の固定部材同志を連結する連結杆とを有する、
請求項１記載の装置。
【発明の詳細な説明】
【０００１】
【発明の属する技術分野】
本発明は、主としてメッシュパレットやボックスパレットなどの被吊上げ容器を玉掛けする際の補助装置に関するものである。
【０００２】
【従来技術】
重量物にワイヤ、ロープ、吊りチェーン、ベルト、フック、等を玉掛けしてクレーンやウィンチなどによって吊上げ移動させる際、しばしば玉掛け補助具あるいは補助装置が用いられる。
この補助具としては、一般に、吊下げられる重量物の角部への当てものや、ロープ表面への巻装物、まくら、あるいははかま、くさびなどが良く知られている（例えば、非特許文献１参照）。
【０００３】
また、大きな重量物に対しては、その底部を支持する面材から成るキャリアとその両側のフックに引っ掛けられた吊りリングの上端を懸垂する水平吊杆とを備えた玉掛け用補助装置が開発されている（例えば、特許文献１参照）。
【０００４】
また、内部に収容空間を有するメッシュパレットなどの被吊上げ容器を玉掛けする場合、図６に示すように前後のフレーム体Ａ，Ａを備えたゴンドラタイプのものが実用化されている。この装置では、拡開した前後フレーム体Ａ，Ａの下杆ａ１，ａ１によってメッシュパレットＢの底面を支持し、メッシュパレットの上面で引寄せられた前後フレーム体の上杆ａ２，ａ２を吊りリングＣを介してフックＤに吊下げるようにしたものである。左右フレーム体Ａ，Ａの側杆ａ３，ａ３は、メッシュパレットＢの側面を支持する。
【０００５】
また、メッシュパレットの玉掛け補助具として現場で実際に用いられている他の例として、図７に示すようなメッシュパレット上面を覆う支持フレームＥがある。
この例では、メッシュパレットＢの脚ｂの下方に形成された凹所にワイヤＦをかけ、このワイヤＦの上部を吊りフックＤに掛止させるとともに引き絞られたワイヤ中間部ｆを支持フレームに支持させるようにしたものである。これにより、ワイヤＦが直接メッシュパレットＢの上縁部に当たらなくなり、メッシュパレットＢの変形や破損を防ぐことができる。
【０００６】
【非特許文献１】
社団法人労務安全衛生協会クレーン委員会編集、「玉掛け技能テキスト」、社団法人労務安全衛生協会発行、平成５年２月（第１０版）、ｐ．９６−１００
【特許文献１】
実開平４−６５２８０号公報（第２図及び第３図）
【０００７】
【発明が解決しようとする課題】
ところが、非特許文献１に記載された程度の補助具では、メッシュパレットやボックスパレットなどの容器タイプの重量物を吊り下げるのには十分でない。また、特許文献１に記載のものは容器タイプの重量物を吊下げるのに適切でない。
【０００８】
図６に示すゴンドラタイプの補助装置は、全体が重いばかりでなく、フレーム体Ａの下杆ａ１をパレットＢの脚の外側に位置させて使用されるために、上杆ａ２が閉じているのに対し、下杆ａ１が開いた状態となり、吊上げ時に安全性の点で問題を抱える。
【０００９】
図７に示す支持フレームＥは、メッシュパレットなどの上面に相当する大きさを有しているので、その運搬や保管に嵩張り、作業性も悪い。また、ワイヤＦを脚ｂ下方の凹所にいちいち引っ掛けなければならず、しかも凹所の縁部によってワイヤＦが損傷する危険性もある。
【００１０】
本発明の目的は、軽量で運搬や保管を楽に行え、また作業性に富み、被吊り下げ物にも損傷などを生じさせることのない、玉掛け用補助装置を提供することにある。
【００１１】
【課題を達成するための手段】
本発明は、上記した目的を達成するために、次の構成を備える。
すなわち、この装置は、被吊上げ容器の上部に取付けられる上部支持体と、被吊上げ容器の下部に取付けられる下部支持体とから成る。上部支持体は、被吊上げ容器の上面を横切って延びる本体部と、この本体部両側にあって被吊上げ容器の両側上縁部に係止される上係止部と、同様に本体部両側にあって４本の吊り用索条がそれぞれ挿通されて各吊り用索条の中途部を被吊上げ容器上縁部に接触させることなく所定位置に保持する保持部とを備える。一方、下部支持体は、被吊上げ容器の両側下部に係止される下係止部と、上記各吊り用索条の下端部を固定する固定部を備える。
【００１２】
本装置が使用される被吊り下げ物は、ボックスパレットやメッシュパレットに限定されるものではなく、内部に収容空間を有する容器タイプのものであれば、良い。
【００１３】
上部支持体の本体部は、枠材であると面材であるとを問わない。望ましくは、所要の間隔を置いた一対の横杆と両横杆の端部同士を連結する一対の縦杆とから成る略方形状のフレーム枠体によって形成される。一対の横杆は、被吊上げ容器の上方を横切って延びる長さを有し、各端部に前記上係止部と保持部とを備える。一対の縦杆は、被吊上げ容器の上縁部よりも短い長さでこれとほぼ平行に沿って延びる。
【００１４】
フレーム枠体から成る上部支持体本体部は、横杆と縦杆とが枢支構造によって連結され、ほぼ一直線状に折畳み及び矩形状に展開自在の構造のものを採用することができる。もちろん、上部支持体は、展開と折畳みの不可能な固定形状であっても良い。
また、フレーム枠体から成る上方支持部材は、２本の支持杆をＸ字状に交差させ、中央部を枢支することによって展開及び折畳み可能な構造としたものを採用することもできる。
【００１５】
被吊上げ容器がメッシュパレットの場合、上係止部は、上記本体部の横杆の各端部に設けられ、メッシュパレット上縁部の１メッシュ内に挿入されて上部支持体の前後方向のずれと上方への離脱を防止する係止片によって構成すると良い。
【００１６】
保持部は、前記本体部横杆の各端部に設けられたほぼ水平な上下二段のフック部材であっても良い。両フック部材は、開口が左右逆方向を向いて形成される。
【００１７】
前記下部支持部材は、一組の下支持体によって構成すると良い。
支持体は、被吊上げ容器の両側下縁部に掛止めされる左右のフック部材と、前記吊り用索条の下端部を固定する左右の固定部材と、これら左右のフック部材同士及び左右の固定部材同志を連結する連結杆とを有する。
また、下部支持部材は、被吊上げ容器の両側下部に係止される４つの支持金具によって構成することもできる。支持金具は、被吊上げ容器の脚を抱持するようにして係止されるものであっても良い。これらの支持金具は、吊り用索条の下端部を固定するシャクル等の固定部を有する。
下部支持部材の下係止部は、かならずしもフック状の部材である必要はなく、被吊上げ容器の底面の構造（特に床構造）の内容いかんでは、断面が単なるＬ型やＵ字型の形状を成すものであっても良い。
【００１８】
【実施の最良の形態】
本発明を図示した実施例に基づいて詳説する。
図１は本発明の一実施例に係る装置の使用状態を示す外観斜視図、図２及び図３は同装置を構成する上部支持部材の展開した状態の平面図と収縮した状態の平面図、図４は下方支持部材の外観斜視図である。
【００１９】
図中符号１は足場連結金具などの金具類を多数収容したメッシュパレット、２と３は本装置を構成する上部支持部材と下部支持部材である。
【００２０】
上部支持部材２は、パイプ材から成る２本の横杆２１とこの横杆２１を所定の間隔に保持して連結する２本の縦杆２２とから成る。横杆２１は、メッシュパレット１の横断するに足る長さを有する。縦杆２２は、メッシュパレット１の上縁部よりも短い長さでこれとほぼ平行に沿って延び、両端部２２ａをピン部材２６を介して横杆２１に枢支されている。
上部支持部材２は、縦杆２２が横杆２１に対して垂直位置になったときに図２に見られるように略長方形の枠体となり、縦杆２２が横杆２１に対して平行位置になったときに図３に見られる幅狭な折畳み状態となる。
【００２１】
横杆２１は、両端部に保持部２３を有する。保持部２３は、吊り索状４の中途部４１を掛止させて所定の位置に保持するためのもので、水平な上下二段のフック部材から成っている。フック部材は、図１から図３に示すように、それぞれ開口２４が左右逆方向を向いて形成されている。
【００２２】
また、横杆２１の両端部には、上係止部２５が設けられている。上係止部２５は、上部支持部材２がメッシュパレット１の開口縁に沿ってずれるのを防止するためのもので、内向きの舌片から成る。舌片２５は、メッシュパレット１の上縁直下の１メッシュ内に入り込む幅と厚みを有する。
【００２３】
下部支持部材３は、同一構造の一組の下支持体３１，３１から成る。各下支持体３１は、図４に見られるように、左右の側板３２，３２とこれを連結する連結板３３及び連結杆３４を備える。側板３２は、略Ｌ字状に形成され、その下辺先端に上向きのフック部３５が形成されている。側板の立上り片は、上端に吊上げ用ワイヤを掛け止めするシャクル３６が取付けられ、中間部内側に下向きの押え爪３７が形成されている。
【００２４】
本装置を使用して玉掛けする方法について説明する。
先ず、メッシュパレット両側の底面と地面との間に下支持体３１を挿入する。挿入された左右の下支持体３１は、側板３２のフック部３５がメッシュパレット１の底面のメッシュに係合するとともに、側板中間の押え爪３７がメッシュパレット底部の帯板状縁材（アングル材）１１の上縁に係合する（図１参照）。下支持体３１のシャクル３６には、一端が環状に圧縮止めされたワイヤロープ４の当該環状部４２が掛け止めされる。
【００２５】
一方、メッシュパレット１の開放された上面には、上部支持部材２が取り付けられる。上部支持部材２は、展開した略長方形の枠状の状態で、メッシュパレット上面の幅方向略中間部に左右方向に横切るようにして配置される。そして、横杆２１の両側端に設けられた舌片２５をメッシュパレット上縁部の１メッシュ内に挿入しておく。
【００２６】
次いで、下部支持部材３に固定された吊りワイヤ４の中途部４１を、上部支持部材２の上下２段の水平フック２３に取付ける。逆向きの開口２４を通して取付けられた吊りワイヤ４は、２段の水平フック２３の内周縁に規制されていずれの方向へも離脱しにくくなる。
【００２７】
この状態で、吊りワイヤ４の上部を吊りフック５に引っ掛け、メッシュパレット１を吊上げる。引張された吊りワイヤ４の下端部４２は、これに連結された下部支持部材３のフック部３５がメッシュパレット底面のアングル材に引っかかり、押え爪３７がメッシュパレット底部のアングル材外面上縁に係止されて、メッシュパレット１を安定支持する。左右のフック部３５と押え爪３７は、連結板３３によって連結されているので、両フック部３５と両押え爪３７は、ともに左右のもの同志が共働してほぼ等分にメッシュパレット１の底部を支持する。
【００２８】
吊りワイヤ４の上記中途部４２は、メッシュパレット１の上縁部に接触することなく、上部支持部材２の保持部２３である水平フックに保持される。このため、吊りワイヤ４の引き絞り力がメッシュパレットに直接的に作用することがなくなり、メッシュパレット１の変形や破損が防止される。また、上部支持部材２は、舌片２５がメッシュパレットの１メッシュ内に入り込んでいるので、吊上げあるいは載置時の衝撃力や揺動力などによって前後及び左右方向にずれることもない。
【００２９】
玉掛けを外すには、吊りフック５から吊りワイヤ４を外し、吊りワイヤ４の上方への引張力を解く。緩められた吊りワイヤの中途部４１を上部支持部材２の水平フック２３から外し、上部支持部材２をメッシュパレット１の上面から取り外す。下部支持部材３（３１，３１）をメッシュパレット１の底部から引き出し、吊りワイヤ下端部のループ４２を下部支持部材３のシャクル３６から外す。必要に応じ、上部支持部材２は、縦杆２２を回動させて直線状に収縮させ、運搬保管する。
【００３０】
図５は本発明の別の実施例に係る下部支持部材を示す斜視図である。
この実施例では、下部支持部材１３０は、４個の支持金具１３１から成る。支持金具１３１は、略Ｕ字状に屈曲された本体１３２と、本体１３２の開口を塞ぐ着脱自在なピン部材１３３と、本体１３２の背面に形成された突片１３４に着脱自在に固定されるシャクル１３５とから成る。
【００３１】
本体１３２は、メッシュパレット１の脚１２を側面から抱持するに足る長さと幅に形成され、両腕部の先端にピン部材１３３を挿通する孔が設けられている。ピン部材は、上記孔に挿通された後、先端をナット締めされることにより本体開口を塞ぎ、本体１３２をメッシュパレット１の脚１２に係り止めさせる。
シャクル１３５には、図示しない吊りワイヤの下端フープが掛け止め固定される。
【００３２】
本実施例では、上部支持部材は、上記した実施例と同様のものが用いられる。使用にあたっては、メッシュパネル１の底部脚１２にそれぞれ支持金具１３１を固着し、支持金具１３１のシャクル１３５に掛け止めされた吊りワイヤの中途部を上部支持部材に同様に保持させ、吊りワイヤ上部を吊りフックに掛止させる。
脚下方の凹所にワイヤを引っ掛けるものではないから、吊りワイヤの損傷の機会を減らすことができる。
【００３３】
なお、図示しないが上方支持部材は、フレーム枠体によって形成する場合、Ｘ字状に交差させた２本の支持杆によって構成するようにしても良い。この場合には、Ｘ字状の交差部を枢支することにより、展開及び折畳み可能な単純構造となる。２本の支持杆の両端部には、上記した実施例と同様な保持部と上係止部とが設けられる。
【００３４】
【発明の効果】
本発明によれば、次の効果を奏する。
本装置は、被吊上げ容器の上部に取付けられる上部支持体と下部に取付けられる下部支持体とを有し、上部支持体に吊り用索条を被吊上げ容器上縁部と接触させることなく所定位置に保持する保持部が設けられ、下部支持体に被吊上げ容器の両側下部に係止される下係止部と吊り用索条の下端部を固定する固定部が設けられているので、被吊上げ容器、特にその上部を吊り用索状の絞り力によって変形させたりあるいは破壊させたりすることなく、安全に吊上げあるいは移動できる。しかも上部支持体の上係止部を被吊上げ容器の上部にまた下部支持体の下係止部を被吊上げ容器の下部に係止させるだけで、簡単にセットできるので、取付け作業を至って容易に行うことができる。
【００３５】
また、上部支持部材は、被吊上げ容器の上面部の全体を覆うものではなく、一部を横断するだけの大きさですみ、下部支持部材も下係止部と固定部を持つ簡素な構造であるから、軽量で、運搬や保管にも嵩張ることはない。
特に、上部支持部材は、展開及び折畳み可能な骨組み構造を採用することにより、一層コンパクトと取扱いも容易となる。
【００３６】
更に、下部支持部材に、請求項９記載の構成を採用することにより、下部支持部材の取付けがより簡略化できるばかりでなく、安定支持に一層貢献できるものである。
【図面の簡単な説明】
【図１】本発明の一実施例に係る装置の全体外観斜視図。
【図２】図１の装置の上部支持部材を拡開した状態の平面図。
【図３】図２の上部支持部材を折畳んだ状態の平面図。
【図４】図１の装置の下部支持部材の斜視図。
【図５】本発明の別の実施例に係る下部支持部材の使用状態を示す斜視図。
【図６】従来の一例を示す説明図
【図７】従来の他例を示す説明図。
【符号の説明】
１          メッシュパレット
１２        脚
２          上部支持部材
２１        横杆
２２        縦杆
２３        保持部（水平フック部）
２４        開口
２５        舌片
３          下部支持部材
３１        下支持体
３２        側板
３３        連結板
３４        連結杆
３５        フック部
３６        シャクル
３７        押え爪
４          吊りワイヤ
４１        吊りワイヤ中途部
４２        吊りワイヤ下端部
【図１】
2004155442.tif 000003
【図２】
2004155442.tif 000004
【図３】
2004155442.tif 000005
【図４】
2004155442.tif 000006
【図５】
2004155442.tif 000007
【図６】
2004155442.tif 000008
【図７】
2004155442.tif 000009